(57)【要約】【課題】吸気通路が長いにもかかわらず構造が単純で気流漏れが少なく、保守整備性が良好なサイクロン式電気掃除機を提供する。【解決手段】有底で略円筒状のサイクロン部１４と、このサイクロン部１４と一体に形成された取付部１４Ｂに対して着脱自在に設けられた導入部１５とで集塵部１１を構成し、集塵部１１に渦流発生部材２１を設け、導入部１５にノズル２０を着脱自在に取り付けた。これによって、複雑な構造になりがちなサイクロン式電気掃除機でありながら掃除機本体１の構造を単純にできるばかりでなく、サイクロン部１４に溜まった塵埃が導入部１５ごと集塵部１１を取り外すことで廃棄され、更に導入部１５を取付部１４Ｂから取り外すこともできるので、サイクロン部１４のみならず導入部１５の保守整備を容易に行うことができる。【選択図】　　図３
2004008576.tif 000002
【特許請求の範囲】
【請求項１】
電動送風機を有する掃除機本体と、この掃除機本体に対して着脱自在に取り付けられる集塵部よりなるサイクロン式電気掃除機において、前記集塵部を、有底で略円筒形状のサイクロン部と、このサイクロン部に塵埃を含む気流を導入する導入部とで構成し、この導入部を取付ける取付部を前記サイクロン部と一体に形成し、この取付部に前記導入部を着脱自在とすると共に、前記集塵部に渦流発生手段を設け、前記導入部に吸込口体を着脱自在に取り付けたことを特徴とするサイクロン式電気掃除機。
【請求項２】
前記渦流発生手段を前記集塵部に対し着脱自在に設けたことを特徴とする請求項１記載のサイクロン式電気掃除機。
【請求項３】
前記渦流発生手段を前記集塵部と一体に形成したことを特徴とする請求項１記載のサイクロン式電気掃除機。
【請求項４】
前記集塵部の前記掃除機本体に取り付けられる一端に開口部を形成し、この一端側に前記渦流発生手段を設けると共に、前記取付部を筒形状に形成し、この取付部の一端側に取付部とサイクロン部とを連通する導入口を設け、この導入口を前記導入部の軸交差方向に開放するように形成したことを特徴とする請求項１〜３のいずれか１項記載のサイクロン式電気掃除機。
【請求項５】
前記導入口を前記サイクロン部の側壁の接線方向に開放するように構成したことを特徴とする請求項４記載のサイクロン式電気掃除機。
【請求項６】
前記取付部の一端側を閉塞し、前記導入部からの気流を前記導入口へ導入する導入壁を設け、この導入壁を滑らかな曲面状に形成したことを特徴とする請求項４又は５記載のサイクロン式電気掃除機。
【請求項７】
前記導入部を保持する保持部を前記サイクロン部に設けたことを特徴とする請求項１〜６のいずれか１項記載のサイクロン式電気掃除機。
【発明の詳細な説明】
【０００１】
【発明が属する技術分野】
本発明はサイクロン式の電気掃除機、特にスティック型のサイクロン式電気掃除機に関するものである。
【０００２】
【発明が解決しようとする課題】
従来この種のサイクロン式電気掃除機としては、例えば特開２００１−１０４２２３号公報等に記載されているものが知られている。これは、電動送風機が内蔵され、後部に吸気通路（導入部）が設けられると共に下部に吸口体（吸込口体）が設けられた掃除機本体に対して、有底であると共に側壁に接線方向に吸気口が形成されたダストボックス（サイクロン部）を着脱自在に取り付けたものである。そして、電動送風機を駆動することで、吸口体から塵埃を含む空気が吸い込まれる。そして、この吸い込まれた空気は、吸気通路から吸気口を経てダストボックス内に至ると共に渦流となり、このダストボックス内で遠心力によって塵埃が分離される。
【０００３】
しかしながら、これらのサイクロン式電気掃除機においては、ダストカップの上部寄りから塵埃を含んだ空気を導入しなければならないため、吸口体からダストカップまでの吸気通路が長くならざるを得ず、その結果、掃除機全体の構造が複雑になると共に部品点数が増えることによって価格が高くなってしまうばかりでなく、増加した部品間の接合箇所で気流漏れが発生する虞があった。また、前記ダストカップは、吸口体から電動送風機に至る経路に対して掃除機本体の排気口と吸気通路との２箇所で接合しており、気流漏れが発生する確率が高くなる虞があった。更に、例えばフィルム状や塊状のゴミを吸引してしまった場合、このゴミが吸気通路に詰まってしまうことがあるが、このように吸気通路にゴミが詰まってしまった場合の除去が難しく、保守整備性に劣るという問題があった。
【０００４】
本発明は以上の問題点を解決し、吸気通路が長いにもかかわらず構造が単純で気流漏れが少なく、保守整備性が良好なサイクロン式電気掃除機を提供することを目的とする。
【０００５】
【課題を解決するための手段】
本発明のサイクロン式電気掃除機は、電動送風機を有する掃除機本体と、この掃除機本体に対して着脱自在に取り付けられる集塵部よりなるサイクロン式電気掃除機において、前記集塵部を、有底で略円筒形状のサイクロン部と、このサイクロン部に塵埃を含む気流を導入する導入部とで構成し、この導入部を取付ける取付部を前記サイクロン部と一体に形成し、この取付部に前記導入部を着脱自在とすると共に、前記集塵部に渦流発生手段を設け、前記導入部に吸込口体を着脱自在に取り付けたものである。
【０００６】
本発明は以上のように構成することにより、吸込口体から吸引された気流が、集塵部の取付部に取り付けられた導入部を通過してサイクロン部に導入され、このサイクロン部内で渦流発生手段によって渦流となることで遠心力で塵埃を分離した後、電動送風機を通過して掃除機本体外に放出される。そして、サイクロン部に溜まった塵埃は導入部ごと集塵部を取り外すことで廃棄されると共に、導入部を取り外すことによって導入部内の塵埃が除去される。
【０００７】
また、本発明のサイクロン式電気掃除機は、請求項１において、前記渦流発生手段を前記集塵部に対し着脱自在に設けたものである。
【０００８】
本発明は以上のように構成することにより、集塵部を掃除機本体から取り外し、渦流発生手段を集塵部から取り外すことで、サイクロン部及び導入部が容易に保守整備可能となる。
【０００９】
また、本発明のサイクロン式電気掃除機は、請求項１において、前記渦流発生手段を前記集塵部と一体に形成したものである。
【００１０】
本発明は以上のように構成することにより、気流漏れの可能性がより低減される。
【００１１】
また、本発明のサイクロン式電気掃除機は、請求項１〜３のいずれか１項において、前記集塵部の前記掃除機本体に取り付けられる一端に開口部を形成し、この一端側に前記渦流発生手段を設けると共に、前記取付部を筒形状に形成し、この取付部の一端側に取付部とサイクロン部とを連通する導入口を設け、この導入口を前記導入部の軸交差方向に開放するように形成したものである。
【００１２】
本発明は以上のように構成することにより、導入部から取付部を通りサイクロン部に至る経路において、気流漏れの可能性がより低減される。
【００１３】
また、本発明のサイクロン式電気掃除機は、請求項４において、前記導入口を前記サイクロン部の側壁の接線方向に開放するように構成したものである。
【００１４】
本発明は以上のように構成することにより、サイクロン部内で渦流を効率良く発生させることができる。
【００１５】
また、本発明のサイクロン式電気掃除機は、請求項４又は５において、前記取付部の一端側を閉塞し、前記導入部からの気流を前記導入口へ導入する導入壁を設け、この導入壁を滑らかな曲面状に形成したものである。
【００１６】
本発明は以上のように構成することにより、導入壁によって、導入部から取付部に入った気流をスムーズに導入口へ導くことができる。
【００１７】
更に、本発明のサイクロン式電気掃除機は、請求項１〜６のいずれか１項において、前記導入部を保持する保持部を前記サイクロン部に設けたものである。
【００１８】
本発明は以上のように構成することにより、保持部によって、導入部をサイクロン部にしっかりと保持することができる。
【００１９】
【発明の実施形態】
以下、本発明の第一実施形態について、図１乃至図８に基づいて説明する。なお、本発明の実施形態においては、図１乃至図３の姿勢を基準として、前後及び上下を規定する。
【００２０】
図１〜図３において、１は掃除機本体である。この掃除機本体１内には、電動機２と、この電動機２の回転軸に取り付けられたファン３が設けられており、これら電動機２とファン３で電動送風機４が構成されている。また、前記掃除機本体１の下部には、略短円筒状で且つ下端５Ａが平坦に形成されたガイド部５が設けられており、このガイド部５に、下方が開放した吸気孔６が形成されていると共に、この吸気孔６によって、前記ガイド部５の下方と電動送風機４とが連通している。また、前記ガイド部５には、吸気孔６を覆うように保護枠７が形成されている。また、前記ガイド部５の正面側には可動フック８が設けられている。更に、前記ガイド部５の後方には下方に突出した凸部９が形成されていると共に、この凸部９の側面に、後方に突出した固定フック１０が形成されている。このように、掃除機本体１は単純な構造に構成されている。
【００２１】
前記掃除機本体１の下方には、樹脂製の集塵部１１が着脱自在に取り付けられている。この集塵部１１には、その一端たる上部に前記ガイド部５が挿入される開口部たる第一開口部１２と、凸部９が挿入される第二開口部１３が形成されている。そして、前記第一開口部１２の下方には、有底で且つ下方がやや細くなった略円筒状のサイクロン部１４が形成されていると共に、前記第二開口部１３の下方には、前記サイクロン部１４の軸方向と略平行で且つ内面が短円筒状の取付部１４Ｂが形成されており、この取付部１４Ｂの下方に、円筒状の導入部１５が着脱自在に取り付けられている。なお、前記取付部１４Ｂの下方内面には雌ネジ部１４Ｃが形成されており、この雌ネジ部１４Ｃに対して導入部１５の上部に形成された雄ネジ部１５Ａを螺合させることによって、取付部１４Ｂに導入部１５が取り付けられている。また、前記取付部１４Ｂと第二開口部１３の間には導入壁１６が形成されることで、取付部１４Ｂの上端が閉塞されていると共に、サイクロン部１４の上部と導入部１５の上端近傍の間の側壁に導入口１７が形成されている。これによって、導入部１５の下端から導入部１５、取付部１４Ｂ及び導入口１７を経てサイクロン部１４に至る経路が構成されている。なお、前記導入壁１６は、導入部１５を上昇してきた気流の方向を導入部１５及び取付部１４Ｂの軸直方向にスムーズに曲げて導入口１７からサイクロン部１４に導入するために、滑らかな曲面状に形成されている。
【００２２】
更に、前記第一開口部１２の前側には、前記可動フック８と係合する第一受部１８が形成されていると共に、前記第二開口部１３の後側には、前記固定フック１０と係合する第二受部１９が形成されている。なお、１１Ａは保持部たる保持環であり、サイクロン部１４に対する導入部１５の取付強度を高めるために、前記サイクロン部１４の後部の下方側面に形成されている。そして、前記保持環１１Ａは、導入部１５を取付部１４Ｂに取り付けた際に、導入部１５の下部外周に形成されたテーパ部１５Ｂに当接することで、導入部１５を保持するように構成されている。このように、集塵部１１は比較的単純な構造に構成されている。また、前記導入部１５の下端には、吸込口体たるノズル２０が着脱自在に取り付けられている。
【００２３】
更に、前記第一開口部１２には、渦流発生手段たる渦流発生部材２１が着脱自在に取り付けられている。この渦流発生部材２１は、前記第一開口部１２とサイクロン部１４の間の段部１４Ａに載置するフランジ部２２と、このフランジ部２２と一体に形成された短円筒状の基部２３と、この基部２３の側面に形成された導風部２４と、前記フランジ部２２と前記導風部２４の底部２４Ａとの間に連設された傾斜案内部２４Ｂと、前記基部２３の下端に形成された第一通風口２５と、前記基部２３の側面に設けられた第二通風口２６と、これら第一及び第二通風口２５，２６にそれぞれ設けられたフィルタ２７，２８と、前記第一通風口２５の外周に設けられた略短円筒状のスカート部２９とで構成されている。そして、前記渦流発生部材２１は、その導風部２４が前記導入口１７に臨んだ状態で第一開口部１２に対して取り付けられる。また、前記渦流発生部材２１の上部には、袋状のフィルタ３０が設けられたフィルタ部材３１が設けられている。このフィルタ部材３１の枠３２は軟質樹脂又はゴムで形成されており、この枠３２の外周に形成されたシール部３３が前記第一開口部１２の内周に対して密接可能に構成されている。また、前記枠３２の上部にはリップ部３４が形成されており、渦流発生部材２１及びフィルタ部材３１が取り付けられた集塵部１１を掃除機本体１に取り付けた際に、前記リップ部３４が前記吸気孔６を囲むようにガイド部５の下端５Ａと密接可能に構成されている。
【００２４】
なお、３５は掃除機本体１に対して着脱自在に取り付けられた把持部である。また、これら掃除機本体１及び把持部３５には、それぞれ引掛部３６，３７が形成されており、これら引掛部３６，３７の間に掃除機本体１から延出する電源コード３８が巻き付け可能に構成されている。更に、前記把持部３５にはスイッチ操作部３９が設けられている。
【００２５】
次に、本実施形態の作用について説明する。まず使用者は、導入部１５を下方から保持環１１Ａに通し、集塵部１１の取付部１４Ｂに形成された雌ネジ部１４Ｃに導入部１５の雄ネジ部１５Ａを螺合させることで、導入部１５を取付部１４Ｂに取り付ける。このとき、導入部１５のテーパ部１５Ｂがサイクロン部１４の後部の下方側面に形成された保持環１１Ａに当接するので、前記導入部１５は、その上部及び下部において保持されることになり、これによってサイクロン部１４に対する導入部１５の取付強度が高められることになる。そして、集塵部１１の第一開口部１２に渦流発生部材２１及びフィルタ部材３１を取り付ける。このとき、フィルタ部材３１のシール部３３が第一開口部１２の内壁に密接する。そして、集塵部１１の第二受部１９を固定フック１０と係合させた後、第一受部１８を可動フック８と係合させることで、集塵部１１が掃除機本体１に対して取り付けられる。このとき、前記ガイド部５が第一開口部１２に挿入されると共に、凸部９が第二開口部１３に挿入されることで、集塵部１１が掃除機本体１に対して位置決めされる。そして、前記フィルタ部材３１のリップ部３４が、前記吸気孔６を囲むようにガイド部５の下端５Ａと密接する。これによって、サイクロン部１４内から吸気孔６に至る経路がシールされる。更に、前記導入部１５の下端にノズル２０を取り付ける。
【００２６】
そして、電源コード３８を引掛部３６，３７から外し、図示しないコンセントに差し込んでスイッチ操作部３９を操作すると、電動送風機４が駆動される。そして、この電動送風機４の駆動によって、塵埃を含んだ気流がノズル２０から吸い込まれる。この気流は、ノズル２０から吸い込まれて導入部１５及び取付部１４Ｂを上昇し、この取付部１４Ｂの上端で導入壁１６に沿って向きを変えると共に、導入口１７からサイクロン部１４に導入される。このとき、導入部１５の下端から導入部１５、取付部１４Ｂ及び導入口１７を経てサイクロン部１４に至る経路が、少ない部材によって構成されているため、気流がこの区間で漏れてしまう虞を少なくできる。そして、サイクロン部１４に導入された気流は、前記渦流発生部材２１の基部２３側面に形成された導風部２４に導かれてサイクロン部１４の内周面に沿って渦流となる。この渦流は、サイクロン部１４を１周したときに、前記傾斜案内部２４Ｂによって下方に導かれることになり、これによって、渦流は螺旋状に下降することになる。この際、この渦流に含まれる塵埃は、遠心力によってサイクロン部１４の内周面に押し付けられることになる。そして、前記渦流がサイクロン部１４の底部に至ると、サイクロン部１４の内周面側で下降していた渦流はサイクロン部１４の中央付近で上昇に転じる。このとき、前述したように、渦流に含まれていた塵埃は遠心力によってサイクロン部１４の内周面に押し付けられているので、渦流がサイクロン部１４の内周面側から中央付近に流れたとしても、比較的粗い塵埃はそのままサイクロン部１４の内周面付近に留まることになり、渦流から分離される。
【００２７】
一方、比較的細かい塵埃は、渦流に混じってサイクロン部１４の中央付近まで移動し、渦流の上昇に伴ってサイクロン部１４内を上昇することになる。そして、この上昇した渦流の多くは、上方の渦流発生部材２１の下部に形成されている第一通風口２５を通過すると共に、一部は渦流発生部材２１の側面に形成されている第二通風口２６を通過することになる。この際、渦流に含まれている比較的細かい塵埃は、前記第一及び第二通風口２５，２６に取り付けられているフィルタ２７，２８によって捕集され、更にこのフィルタ２７，２８を通過した、より細かい塵埃は、渦流発生部材２１の上方に設けられたフィルタ部材３１のフィルタ３０によって捕集される。なお、前述したとおり、渦流の多くは第一通風口２５を通過することになり、このため、フィルタ２８よりもフィルタ２７の方がより多く塵埃を捕集することになるので、特に綿埃等によってフィルタ２７が塞がれてしまうことが起こりがちであるが、渦流発生部材２１の側面に第二通風口２６が形成されていることで、フィルタ２７が塞がれてしまうことがあっても、渦流が第二通風口２６を通過することで一定の流量は確保される。また、第一通風口２５の外周には短円筒状のスカート部２９が形成されているため、捕集された塵埃でフィルタ２７が塞がれ、上昇した渦流がフィルタ２７に当たった後に第二通風口２６に流れたとしても、フィルタ２７に当たった渦流はスカート部２９を越えなければならず、従って捕集された塵埃が渦流に乗って移動することがスカート部２９によって抑制されるので、フィルタ２８が塵埃で塞がれてしまうことが抑制されることになる。そして、渦流発生部材２１のフィルタ２７，２８及びフィルタ部材３１のフィルタ３０を通過した気流は、前記吸気孔６から電動送風機４に至り、更に掃除機本体１外に抜ける。
【００２８】
清掃終了後、ノズル２０を導入部１５の下端から取り外した後、可動フック８を操作して集塵部１１を掃除機本体１から取り外す。そして、フィルタ部材３１及び渦流発生部材２１を第一開口部１２から取り外し、フィルタ２７，２８，３０に付着した塵埃を除去する。また、サイクロン部１４に溜まった塵埃をゴミ箱に捨てる。このとき、集塵部１１は、取付部１４Ｂが一体に形成されたサイクロン部１４と、前記取付部１４Ｂに対して着脱自在に取り付けられる導入部とで構成されているため、軽い集塵部１１を持ってサイクロン部１４内の塵埃を簡単に捨てることができるばかりでなく、導入部１５を取付部１４Ｂから取り外すことで、導入部１５内及び全長の短い取付部１４Ｂに溜まってしまった塵埃も簡単に除去することができる。従って、清掃途中でシート状物等を吸い込んでしまい、導入部１５や取付部１４Ｂ、導入口１７に詰まってしまった場合でも、簡単に除去することができる。更に、前記集塵部１１は、取付部１４Ｂが一体に形成された樹脂製のサイクロン部１４と、同じく樹脂製の導入部１５との２部品で構成されているため、これらサイクロン部１４及び導入部１５の水洗いが可能であり、従って、これらを水洗いすれば集塵部１１をより一層清浄な状態にすることができる。
【００２９】
以上のように、電動送風機４を有する掃除機本体１と、この掃除機本体１に対して着脱自在に取り付けられる集塵部１１よりなるサイクロン式電気掃除機において、前記集塵部１１を、有底で略円筒状のサイクロン部１４と、このサイクロン部１４と一体に形成された取付部１４Ｂに対して着脱自在に設けられた導入部１５とで構成すると共に、前記集塵部１１に渦流発生手段たる渦流発生部材２１を設け、前記導入部１５に吸込口体たるノズル２０を着脱自在に取り付けたものであるので、ノズル２０から吸引された気流が、集塵部１１の導入部１５を通過して、この導入部１５が取り付けられた取付部１４Ｂからサイクロン部１４に導入され、このサイクロン部１４内で渦流発生部材２１によって渦流となることで遠心力で塵埃を分離した後、電動送風機４を通過して掃除機本体１外に放出される。そして、サイクロン部１４に溜まった塵埃は導入部１５ごと集塵部１１を取り外すことで廃棄できる。したがって、複雑な構造になりがちなサイクロン式電気掃除機でありながら掃除機本体１の構造を単純にできるばかりでなく、サイクロン部１４に溜まった塵埃が導入部１５ごと集塵部１１を取り外すことで廃棄でき、更に導入部１５を取付部１４Ｂから取り外すこともできるので、サイクロン部１４のみならず導入部１５の保守整備を容易に行うことができる。更に、導入部１５からサイクロン部１４までの構造が単純にでき、また部品点数が比較的少なくできるので、安価にすることができる。
【００３０】
また、前記渦流発生部材２１を前記集塵部１１に対し着脱自在に設けたものであるから、集塵部１１を掃除機本体１から取り外し、渦流発生部材２１を集塵部１１から取り外すことで、サイクロン部１４及び導入部１５が容易に保守整備可能となるので、簡単に集塵部１１を保守整備して集塵性能を保つことができる。
【００３１】
また、前記集塵部１１の前記掃除機本体１に取り付けられる一端に開口部たる第一開口部１２，第二開口部１３を形成し、この一端側に前記渦流発生部材２１を設けると共に、前記取付部１４Ｂを短円筒形状に形成し、前記一端側に前記取付部１４Ｂと前記サイクロン部１４とを連通する導入口１７を設け、この導入口１７を前記取付部１４Ｂの軸交差方向に開放するように形成したものであるから、取付部１４Ｂからサイクロン部１４にかけて気流漏れの可能性がより低減されるので、集塵性能をより高めることができる。
【００３２】
また、前記取付部１４Ｂの前記一端側の軸方向を閉塞し、前記導入部１５からの気流を前記取付部１４Ｂから導入口１７へ導入する導入壁１６を設け、この導入壁１６を滑らかな曲面状に形成したものであるから、導入壁１６によって、導入部１５から取付部１４Ｂに導入された気流をスムーズに導入口１７へ導くことができる。
【００３３】
更に、前記サイクロン部１４の後部の下方側面に保持環１１Ａを形成したので、導入部１５を取付部１４Ｂに取り付けた際に、導入部１５の下部外周に形成されたテーパ部１５Ｂと保持環１１Ａが当接することで、サイクロン部１４に対する導入部１５の取付強度が高められ、集塵部１１の破損等を防止することができる。
【００３４】
次に、本発明の第二実施形態について、図９〜図１１に基づいて説明する。なお、第一実施形態と同一の部分には、同じ符号を付し、その詳細な説明を省略する。
【００３５】
前記掃除機本体１の下方には、樹脂製の集塵部５１が着脱自在に取り付けられている。この集塵部５１には、その一端たる上部に前記ガイド部５が挿入される開口部たる第一開口部５２と、凸部９が挿入される第二開口部５３が形成されている。そして、前記第一開口部５２の下方には、有底で且つ下方がやや細くなった略円筒状のサイクロン部５４が形成されていると共に、前記第二開口部５３の下方には、前記サイクロン部５４の軸方向と略平行で且つ内面が短円筒状の取付部５４Ｂが形成されており、この取付部５４Ｂの下方に、円筒状の導入部５５が着脱自在に取り付けられている。なお、前記取付部５４Ｂの下方内面には雌ネジ部５４Ｃが形成されており、この雌ネジ部５４Ｃに対して導入部５５の上部に形成された雄ネジ部５５Ａを螺合させることによって、取付部５４Ｂに導入部５５が取り付けられている。
【００３６】
また、第一開口部５２及び第二開口部５３には、渦流発生手段たる渦流発生部材６１が設けられている。この渦流発生部材６１は、下向きの略円錐形状の円錐部６１Ａと、この円錐部６１Ａに連続した導入壁５６とを備え、同一の部材によって一体に形成されている。そして、この渦流発生部材６１は、第一開口部５２に円錐部６１Ａ、第二開口部５３に導入壁５６が対応して集塵部５１に対し着脱自在に取り付けられている。
【００３７】
導入壁５６が前記取付部５４Ｂと第二開口部５３の間に取り付けられることで、取付部５４Ｂの上端が閉塞されると共に、サイクロン部５４の上部と取付部５４Ｂの上端近傍の間の側壁に導入口５７が形成される。なお、前記導入壁５６は、導入部５５を上昇して取付部５４Ｂに導入された気流の方向を取付部５４Ｂの軸直方向にスムーズに曲げて導入口５７からサイクロン部５４に導入するために、滑らかな曲面状に形成されている。また、サイクロン部５４の側壁の一方の接線方向に導入口５７を開放するように構成されている。即ち、導入壁５６の側面たる導入側壁５６Ａが、取付部５４Ｂをサイクロン部５４の一方の接線方向へ略直線的に結ぶように構成されている。従って、導入部５５を上昇して取付部５４Ｂに導入された気流は、サイクロン部５４の側壁の一方の接線方向に向かって導入されるようになっている。
【００３８】
円錐部６１Ａは、前記第一開口部５２とサイクロン部５４の間の段部５４Ａに載置するフランジ部６２と、このフランジ部６２と一体に形成された円錐状の基部６３と、前記基部６３の側面に設けられた通風口６４と、この通風口６４に設けられたフィルタ６５とで構成されている。また、前記渦流発生部材６１の上部には、袋状のフィルタ７０が設けられたフィルタ部材７１が取り付けられている。このフィルタ部材７１の枠７２は軟質樹脂又はゴムで形成されており、この枠７２の外周に形成されたシール部７３が前記第一開口部５２及び第二開口部５３の内周に対して密接可能に構成されている。また、前記枠７２の上部にはリップ部７４が形成されており、渦流発生部材６１及びフィルタ部材７１が取り付けられた集塵部５１を掃除機本体１に取り付けた際に、前記リップ部７４が前記吸気孔６を囲むようにガイド部５の下端５Ａと密接可能に構成されている。
【００３９】
更に、前記第一開口部５２の前側には、前記可動フック８と係合する第一受部５８が形成されていると共に、前記第二開口部５３の後側には、前記固定フック１０と係合する第二受部５９が形成されている。なお、５１Ａは保持環であり、サイクロン部５４に対する導入部５５の取付強度を高めるために、前記サイクロン部５４の後部の下方側面に形成されている。そして、前記保持環５１Ａは、導入部５５を取付部５４Ｂに取り付けた際に、導入部５５の下部外周に形成されたテーパ部５５Ｂに当接することで、導入部５５を保持するように構成されている。また、サイクロン部５４の下端には、集塵部５１と一体に脚部５１Ｂが設けられている。この脚部５１Ｂの下端と導入部５５の下端は面一に形成されており、掃除機本体１から集塵部５１を取り外した際に、集塵部５１が自立可能となるように構成されている。このように、集塵部５１は比較的単純な構造に構成されている。また、前記導入部５５の下端には、吸込口体たるノズル２０が着脱自在に取り付けられている。
【００４０】
次に、本実施形態の作用について説明する。まず使用者は、導入部５５を下方から保持環５１Ａに通し、集塵部５１の取付部５４Ｂに形成された雌ネジ部５４Ｃに導入部５５の雄ネジ部５５Ａを螺合させることで、導入部５５を取付部５４Ｂに取り付ける。このとき、導入部５５のテーパ部５５Ｂがサイクロン部５４の後部の下方側面に形成された保持環５１Ａに当接するので、前記導入部５５は、その上部及び下部において保持されることになり、これによってサイクロン部５４に対する導入部５５取付強度が高められることになる。そして、集塵部５１の第一開口部５２及び第二開口部５３に渦流発生部材６１及びフィルタ部材７１を取り付ける。このとき、フィルタ部材７１のシール部７３が第一開口部５２及び第二開口部５３の内壁に密接する。そして、集塵部５１の第二受部５９を固定フック１０と係合させた後、第一受部５８を可動フック８と係合させることで、集塵部５１が掃除機本体１に対して取り付けられる。このとき、前記ガイド部５が第一開口部５２に挿入されると共に、凸部９が第二開口部５３に挿入されることで、集塵部５１が掃除機本体１に対して位置決めされる。そして、前記フィルタ部材７１のリップ部７４が、前記吸気孔６を囲むようにガイド部５の下端５Ａと密接する。これによって、サイクロン部５４内から吸気孔６に至る経路がシールされる。更に、前記導入部５５の下端にノズル２０を取り付ける。
【００４１】
そして、電源コード３８を引掛部３６，３７から外し、図示しないコンセントに差し込んでスイッチ操作部３９を操作すると、電動送風機４が駆動される。そして、この電動送風機４の駆動によって、塵埃を含んだ気流がノズル２０から吸い込まれる。この気流は、ノズル２０から吸い込まれて導入部５５及び取付部５４Ｂを上昇し、この取付部５４Ｂの上端で導入壁５６に沿って向きを変えると共に、導入側壁５６Ａに沿って導入口５７からサイクロン部５４の一方の接線方向に向かってサイクロン部５４に導入される。そして、サイクロン部５４に導入された気流は、サイクロン部５４の内周面に沿って渦流となり、螺旋状に下降することになる。この際、この渦流に含まれる塵埃は、遠心力によってサイクロン部５４の内周面に押し付けられることになる。そして、前記渦流がサイクロン部５４の底部に至ると、サイクロン部５４の内周面側で下降していた渦流はサイクロン部５４の中央付近で上昇に転じる。このとき、前述したように、渦流に含まれていた塵埃は遠心力によってサイクロン部５４の内周面に押し付けられているので、渦流がサイクロン部５４の内周面側から中央付近に流れたとしても、比較的粗い塵埃はそのままサイクロン部５４の内周面付近に留まることになり、渦流から分離される。
【００４２】
一方、比較的細かい塵埃は、渦流に混じってサイクロン部５４の中央付近まで移動し、渦流の上昇に伴ってサイクロン部５４内を上昇することになる。そして、この上昇した渦流は、上方の渦流発生部材６１に形成されている通風口６４を通過することになる。この際、渦流に含まれている比較的細かい塵埃は、前記通風口６４に取り付けられているフィルタ６５によって捕集され、更にこのフィルタ６５を通過した、より細かい塵埃は、渦流発生部材６１の上方に設けられたフィルタ部材７１のフィルタ７０によって捕集される。そして、渦流発生部材６１のフィルタ６５及びフィルタ部材７１のフィルタ７０を通過した気流は、前記吸気孔６から電動送風機４に至り、更に掃除機本体１外に抜ける。
【００４３】
清掃終了後、ノズル２０を導入部５５の下端から取り外した後、可動フック８を操作して集塵部５１を掃除機本体１から取り外す。そして、フィルタ部材７１及び渦流発生部材６１を第一開口部５２及び第二開口部５３から取り外し、フィルタ６５，７０に付着した塵埃を除去する。また、サイクロン部５４に溜まった塵埃をゴミ箱に捨てる。このとき、集塵部５１は、取付部１４Ｂが一体に形成されたサイクロン部５４と、前記取付部５４Ｂに対して着脱自在に取り付けられる導入部５５とで構成されているため、軽い集塵部５１を持ってサイクロン部５４内の塵埃を簡単に捨てることができるばかりでなく、導入部５５を取付部５４Ｂから取り外すことで、導入部５５内及び全長の短い取付部５４Ｂに溜まってしまった塵埃も簡単に除去できる。従って、清掃途中でシート状物等を吸い込んでしまい、導入部５５や取付部５４Ｂ、導入口５７に詰まってしまった場合でも、簡単に除去することができる。特に、導入壁５６が渦流発生部材６１として集塵部５１に対して着脱自在に構成されており、渦流発生部材６１を取外した際に取付部５４Ｂが上下軸方向に貫通するので、取付部５４Ｂに物が詰まったときに除去しやすく、保守性に優れる。更に、前記集塵部５１は、取付部５４Ｂが一体に形成された樹脂製のサイクロン部５４と、同じく樹脂製の導入部５５との２部品で構成されているため、これらサイクロン部５４及び導入部５５の水洗いが可能であり、従って、これらを水洗いすれば集塵部５１をより一層清浄な状態にすることができる。更に、サイクロン部５４の下端に設けた脚部５１Ｂと導入部５５の下端によって、集塵部５１は第一開口部５２，第二開口部５３を上に向けて自立可能に構成されているので、塵埃を捨てる際などに塵埃を散らかすことなく一時的に置いておくことが可能であり、便利である。
【００４４】
以上のように、電動送風機４を有する掃除機本体１と、この掃除機本体１に対して着脱自在に取り付けられる集塵部５１よりなるサイクロン式電気掃除機において、前記集塵部５１を、有底で略円筒形状のサイクロン部５４と、このサイクロン部５４と一体に形成された取付部５４Ｂに対して着脱自在に設けられた導入部５５とで構成すると共に、前記集塵部５１に渦流発生手段たる渦流発生部材６１を設け、前記導入部５５に吸込口体たるノズル２０を着脱自在に取り付けたものであるので、ノズル２０から吸引された気流が、集塵部５１の導入部５５を通過して、この導入部５５が取り付けられた取付部５４Ｂからサイクロン部５４に導入され、このサイクロン部５４内で渦流発生部材６１によって渦流となることで遠心力で塵埃を分離した後、電動送風機４を通過して掃除機本体１外に放出される。そして、サイクロン部５４に溜まった塵埃は導入部５５ごと集塵部５１を取り外すことで廃棄される。したがって、複雑な構造になりがちなサイクロン式電気掃除機でありながら掃除機本体１の構造を単純にできるばかりでなく、サイクロン部５４に溜まった塵埃が導入部５５ごと集塵部５１を取り外すことで廃棄され、更に導入部５５を取付部５４Ｂから取り外すこともできるので、サイクロン部５４のみならず導入部５５の保守整備を容易に行うことができる。更に、導入部５５からサイクロン部５４までの構造が単純にでき、また部品点数が比較的少なくできるので、安価にすることができる。
【００４５】
また、前記渦流発生部材６１を前記集塵部５１に対し着脱自在に設けたものであるから、集塵部５１を掃除機本体１から取り外し、渦流発生部材６１を集塵部５１から取り外すことで、サイクロン部５４及び導入部５５が容易に保守整備可能となるので、簡単に集塵部５１を保守整備して集塵性能を保つことができる。
【００４６】
また、前記集塵部５１の前記掃除機本体１に取り付けられる一端に開口部たる第一開口部５２，第二開口部５３を形成し、この一端側に前記渦流発生部材６１を設けると共に、前記取付部５４Ｂを短円筒形状に形成し、前記一端側に渦流発生部材６１を取り付けることで前記取付部５４Ｂと前記サイクロン部５４とを連通する導入口５７が形成されるようにし、この導入口５７を前記取付部５４Ｂの軸交差方向に開放するように形成したものであるから、渦流発生部材６１を集塵部５１から取り外すことで取付部５４Ｂが軸方向に開放することになり、より簡単に集塵部５１を保守整備して集塵性能を保つことができる。
【００４７】
また、前記導入口５７を前記サイクロン部５４の側壁の接線方向に開放するように構成したものであるから、サイクロン部５４内で渦流を効率良く発生させることができる。
【００４８】
また、前記取付部５４Ｂの前記一端側の軸方向を渦流発生部材６１によって閉塞し、この渦流発生部材６１に前記導入部５５からの気流を前記取付部５４Ｂから導入口５７へ導入する導入壁５６を設け、この導入壁５６を滑らかな曲面状に形成したものであるから、導入壁５６によって、導入部５５から取付部５４Ｂに導入された気流をスムーズに導入口５７へ導くことができる。
【００４９】
更に、前記サイクロン部５４の後部の下方側面に保持環５１Ａを形成したので、導入部５５を取付部５４Ｂに取り付けた際に、導入部５５の下部外周に形成されたテーパ部５５Ｂと保持環５１Ａが当接することで、サイクロン部５４に対する導入部５５の取付強度が高められ、集塵部５１の破損等を防止することができる。
【００５０】
また、サイクロン部５４の下端近傍には、集塵部５１と一体に脚部５１Ｂが設けられ、この脚部５１Ｂの下端と導入部５５の下端は面一に形成されているので、掃除機本体１から集塵部５１を取り外した際に、集塵部５１を平坦な場所に自立させることができる。
【００５１】
更に、本発明の第三実施形態について、図１２〜図１４に基づいて説明する。なお、第一及び第二実施形態と同一の部分には同じ符号を付し、その詳細な説明を省略する。
【００５２】
前記掃除機本体１の下方には、樹脂製の集塵部８１が着脱自在に取り付けられている。この集塵部８１には、その一端たる上部に前記ガイド部５が挿入される開口部たる第一開口部８２と、凸部９が挿入される第二開口部８３が形成されている。そして、前記第一開口部８２の下方には、有底で且つ下方がやや細くなった略円筒状のサイクロン部８４が形成されていると共に、前記第二開口部８３の下方には、前記サイクロン部８４の軸方向と略平行で且つ内面が略短円筒状の取付部８４Ｂが形成されており、この取付部８４Ｂの下方に、内面が略円筒状の導入部８５が着脱自在に取り付けられている。なお、前記取付部８４Ｂの下方内面には雌ネジ部８４Ｃが形成されており、この雌ネジ部８４Ｃに対して導入部８５の上部に形成された雄ネジ部８５Ａを螺合させることによって、取付部８４Ｂに導入部８５が取り付けられている。
【００５３】
また、前記取付部８４Ｂと第二開口部８３の間には、渦流発生手段としての導入壁８６が集塵部８１と一体に形成されることで、取付部８４Ｂの上端が閉塞されていると共に、サイクロン部８４の上部と取付部８４Ｂの上端近傍の間の側壁に導入口８７が形成されている。これによって、導入部８５の下端から導入部８５、取付部８４Ｂ、導入口８７を経てサイクロン部８４に至る経路が構成されている。なお、前記導入壁８６は、導入部８５及び取付部８４Ｂを上昇してきた気流の方向を取付部８４Ｂの軸直方向にスムーズに曲げて導入口８７からサイクロン部８４に導入するために、滑らかな曲面状に形成されている。また、サイクロン部８４の側壁の一方の接線方向に取付部８４Ｂを開放するように構成されている。即ち、導入壁８６の側面たる導入側壁８６Ａが、取付部８４Ｂをサイクロン部８４の一方の接線方向へ略直線的に結ぶように構成されている。従って、導入部８５及び取付部８４Ｂを上昇してきた気流は、サイクロン部８４の側壁の一方の接線方向へ向かって導入されるようになっている。
【００５４】
更に、前記第一開口部８２には、円錐部９１が着脱自在に取り付けられている。円錐部９１は、前記第一開口部８２とサイクロン部８４の間の段部８４Ａに載置するフランジ部９２と、このフランジ部９２と一体に形成された円錐状の基部９３と、前記基部９３の側面に設けられた通風口９４と、この通風口９４に設けられたフィルタ９５とで構成されている。また、前記円錐部９１の上部には、袋状のフィルタ７０が設けられたフィルタ部材７１が設けられている。このフィルタ部材７１の枠７２は軟質樹脂又はゴムで形成されており、この枠７２の外周に形成されたシール部７３が前記第一開口部８２及び第二開口部８３の内周に対して密接可能に構成されている。また、前記枠７２の上部にはリップ部７４が形成されており、円錐部９１及びフィルタ部材７１が取り付けられた集塵部８１を掃除機本体１に取り付けた際に、前記リップ部７４が前記吸気孔６を囲むようにガイド部５の下端５Ａと密接可能に構成されている。
【００５５】
更に、前記第一開口部８２の前側には、前記可動フック８と係合する第一受部８８が形成されていると共に、前記第二開口部８３の後側には、前記固定フック１０と係合する第二受部８９が形成されている。なお、８１Ａは保持環であり、サイクロン部８４に対する導入部８５の取付強度を高めるために、前記サイクロン部８４の後部の下方側面に形成されている。そして、前記保持環８１Ａは、導入部８５を取付部８４Ｂに取り付けた際に、導入部８５の下部外周に形成されたテーパ部８５Ｂに当接することで、導入部８５を保持するように構成されている。また、サイクロン部８４の下端には、集塵部８１と一体に脚部８１Ｂが設けられている。この脚部８１Ｂの下端と導入部８５の下端は面一に形成されており、掃除機本体１から集塵部８１を取り外した際、集塵部８１が自立可能となるように構成されている。このように、集塵部８１は比較的単純な構造に構成されている。また、前記導入部８５の下端には、吸込口体たるノズル２０が着脱自在に取り付けられている。
【００５６】
次に、本実施形態の作用について説明する。まず使用者は、導入部８５を下方から保持環８１Ａに通し、集塵部８１の取付部８４Ｂに形成された雌ネジ部８４Ｃに導入部８５の雄ネジ部８５Ａを螺合させることで、導入部８５を取付部８４Ｂに取り付ける。このとき、導入部８５のテーパ部８５Ｂがサイクロン部８４の後部の下方側面に形成された保持環８１Ａに当接するので、前記導入部８５は、その上部及び下部において保持されることになり、これによってサイクロン部８４に対する導入部８５の取付強度が高められることになる。そして、集塵部８１の第一開口部８２に円錐部９１、第一開口部８２及び第二開口部８３にフィルタ部材７１を取り付ける。このとき、フィルタ部材７１のシール部７３が第一開口部８２及び第二開口部８３の内壁に密接する。そして、集塵部８１の第二受部８９を固定フック１０と係合させた後、第一受部８８を可動フック８と係合させることで、集塵部８１が掃除機本体１に対して取り付けられる。このとき、前記ガイド部５が第一開口部８２に挿入されると共に、凸部９が第二開口部８３に挿入されることで、集塵部８１が掃除機本体１に対して位置決めされる。そして、前記フィルタ部材７１のリップ部７４が、前記吸気孔６を囲むようにガイド部５の下端５Ａと密接する。これによって、サイクロン部８４内から吸気孔６に至る経路がシールされる。更に、前記導入部８５の下端にノズル２０を取り付ける。
【００５７】
そして、電源コード３８を引掛部３６，３７から外し、図示しないコンセントに差し込んでスイッチ操作部３９を操作すると、電動送風機４が駆動される。そして、この電動送風機４の駆動によって、塵埃を含んだ気流がノズル２０から吸い込まれる。この気流は、ノズル２０から吸い込まれて導入部８５及び取付部８４Ｂを上昇し、この取付部８４Ｂの上端で導入壁８６に沿って向きを変えると共に、導入側壁８６Ａに沿って導入口８７からサイクロン部８４の一方の接線方向に向かってサイクロン部８４に導入される。そして、サイクロン部８４に導入された気流は、サイクロン部８４の内周面に沿って渦流となり、螺旋状に下降することになる。この際、この渦流に含まれる塵埃は、遠心力によってサイクロン部８４の内周面に押し付けられることになる。そして、前記渦流がサイクロン部８４の底部に至ると、サイクロン部８４の内周面側で下降していた渦流はサイクロン部８４の中央付近で上昇に転じる。このとき、前述したように、渦流に含まれていた塵埃は遠心力によってサイクロン部８４の内周面に押し付けられているので、渦流がサイクロン部８４の内周面側から中央付近に流れたとしても、比較的粗い塵埃はそのままサイクロン部８４の内周面付近に留まることになり、渦流から分離される。
【００５８】
一方、比較的細かい塵埃は、渦流に混じってサイクロン部８４の中央付近まで移動し、渦流の上昇に伴ってサイクロン部８４内を上昇することになる。そして、この上昇した渦流は、上方の円錐部９１に形成されている通風口９４を通過することになる。この際、渦流に含まれている比較的細かい塵埃は、前記通風口９４に取り付けられているフィルタ９５によって捕集され、更にこのフィルタ９５を通過した、より細かい塵埃は、円錐部９１の上方に設けられたフィルタ部材７１のフィルタ７０によって捕集される。そして、円錐部９１のフィルタ９５及びフィルタ部材７１のフィルタ７０を通過した気流は、前記吸気孔６から電動送風機４に至り、更に掃除機本体１外に抜ける。
【００５９】
清掃終了後、ノズル２０を導入部８５の下端から取り外した後、可動フック８を操作して集塵部８１を掃除機本体１から取り外す。そして、フィルタ部材７１及び円錐部９１を第一開口部８２及び第二開口部８３から取り外し、フィルタ９５，７０に付着した塵埃を除去する。また、サイクロン部８４に溜まった塵埃をゴミ箱に捨てる。このとき、集塵部８１は、取付部８４Ｂが一体に形成されたサイクロン部８４と、前記取付部８４Ｂに対して着脱自在に取付けられる導入部８５とで構成されているため、軽い集塵部８１を持ってサイクロン部８４内の塵埃を簡単に捨てることができるばかりでなく、導入部８５を取付部８４Ｂから取り外すことで、導入部８５内及び全長の短い取付部８４Ｂに溜まってしまった塵埃も簡単に除去できる。従って、清掃途中でシート状物等を吸い込んでしまい、導入部８５や取付部８４Ｂ、導入口８７に詰まってしまった場合でも、簡単に除去することができる。更に、前記集塵部８１は、取付部８４Ｂが一体に形成された樹脂製のサイクロン部８４と、同じく樹脂製の導入部８５との２部品で構成されているため、これらサイクロン部８４及び導入部８５の水洗いが可能であり、従って、これらを水洗いすれば集塵部８１をより一層清浄な状態にすることができる。更に、サイクロン部８４の下端に設けた脚部８１Ｂと導入部８５の下端によって、集塵部８１は第一開口部８２，第二開口部８３を上に向けて自立可能に構成されているので、塵埃を捨てる際などに塵埃を散らかすことなく一時的に置いておくことが可能であり、便利である。
【００６０】
以上のように、電動送風機４を有する掃除機本体１と、この掃除機本体１に対して着脱自在に取り付けられる集塵部８１よりなるサイクロン式電気掃除機において、前記集塵部８１を、有底で略円筒形状のサイクロン部８４と、このサイクロン部８４と一体に形成された取付部８４Ｂに対して着脱自在に設けられた導入部８５とで構成すると共に、前記集塵部８１に渦流発生手段たる導入壁８６を設け、前記導入部８５に吸込口体たるノズル２０を着脱自在に取り付けたものであるので、ノズル２０から吸引された気流が、集塵部８１の導入部８５を通過して、この導入部８５が取り付けられた取付部８４Ｂからサイクロン部８４に導入され、このサイクロン部８４内で導入壁８６によって渦流となることで遠心力で塵埃を分離した後、電動送風機４を通過して掃除機本体１外に放出される。そして、サイクロン部８４に溜まった塵埃は導入部８５ごと集塵部８１を取り外すことで廃棄される。従って、複雑な構造になりがちなサイクロン式電気掃除機でありながら掃除機本体１の構造を単純にできるばかりでなく、サイクロン部８４に溜まった塵埃が導入部８５ごと集塵部８１を取り外すことで廃棄され、更に導入部８５を取付部８４Ｂから取り外すこともできるので、サイクロン部８４のみならず導入部８５の保守整備を容易に行うことができる。更に、導入部８５からサイクロン部８４までの構造が単純にでき、また部品点数が比較的少なくできるので、安価にすることができるばかりでなく、取付部８４Ｂからサイクロン部８４までの間に接合箇所が無く、従ってサイクロン式電気掃除機全体における接合箇所が少なくできるので、吸気通路における気流漏れの可能性を低減して集塵性能を高めることができる。
【００６１】
また、渦流発生部材たる前記導入壁８６を前記集塵部８１と一体に形成したものであるから、気流漏れの可能性をより低減させることができる。
【００６２】
また、前記集塵部８１の前記掃除機本体１に取り付けられる一端に開口部たる第一開口部８２，第二開口部８３を形成し、この一端側に前記導入壁８６を設けると共に、前記取付部８４Ｂを短円筒形状に形成し、前記一端側に前記取付部８４Ｂと前記サイクロン部８４とを連通する導入口８７を設け、この導入口８７を前記取付部８４Ｂの軸交差方向に開放するように形成したものであるから、導入部８５から取付部８４Ｂを経てサイクロン部８４に至る経路で気流漏れの可能性がより低減されるので、集塵性能をより高めることができる。
【００６３】
また、前記導入口８７を前記サイクロン部８４の側壁の接線方向に開放するように構成したものであるから、サイクロン部８４内で渦流を効率良く発生させることができる。
【００６４】
また、前記取付部８４Ｂの前記一端側の軸方向を閉塞し、前記導入部８５からの気流を前記取付部８４Ｂから導入口８７へ導入する導入壁８６を設け、この導入壁８６を滑らかな曲面状に形成したものであるから、導入壁８６によって、導入部８５から取付部８４Ｂに導入された気流をスムーズに導入口８７へ導くことができる。
【００６５】
更に、前記サイクロン部８４の後部の下方側面に保持環８１Ａを形成したので、導入部８５を取付部８４Ｂに取り付けた際に、導入部８５の下部外周に形成されたテーパ部８５Ｂと保持環８１Ａが当接することで、サイクロン部８４に対する導入部８５の取付強度が高められ、集塵部８１の破損等を防止することができる。
【００６６】
また、サイクロン部８４の下端には、集塵部８１と一体に脚部８１Ｂが設けられ、この脚部８１Ｂの下端と導入部８５の下端が面一に形成されているので、掃除機本体１から集塵部８１を取り外した際に、集塵部８１を平坦な場所に自立させることができる。
【００６７】
なお、本発明は以上の実施形態に限定されるものではなく、発明の要旨の範囲内で種々の変形が可能である。例えば、上記各実施形態では、サイクロン部と取付部を同一の部材で一体に成形することで構成されているが、サイクロン部と取付部を別体とし、これらを溶着や接着等によって気密に一体化することで構成してもよい。また、導入部と取付部は、雄ネジと雌ネジの螺合以外の構造によって着脱自在に構成しても良い。更に、上記各実施形態では、保持部を環状の保持環としたが、保持部をこれ以外の形状に形成してもよい。
【００６８】
【発明の効果】
本発明の請求項１記載のサイクロン式電気掃除機は、電動送風機を有する掃除機本体と、この掃除機本体に対して着脱自在に取り付けられる集塵部よりなるサイクロン式電気掃除機において、前記集塵部を、有底で略円筒形状のサイクロン部と、このサイクロン部に塵埃を含む気流を導入する導入部とで構成し、この導入部を取付ける取付部を前記サイクロン部と一体に形成し、この取付部に前記導入部を着脱自在とすると共に、前記集塵部に渦流発生手段を設け、前記導入部に吸込口体を着脱自在に取り付けたものであり、サイクロン部に溜まった塵埃が導入部ごと集塵部を取り外すことで廃棄されるので、サイクロン部のみならず導入部の保守整備を容易に行うことができるばかりでなく、取付部から導入部を取り外すことによって、取付部内及び導入部内の保守整備を行うことができる。また、複雑な構造になりがちなサイクロン式電気掃除機でありながら掃除機本体の構造を単純にできると共に、部品点数が比較的少なくできるので、安価にすることができる。
【００６９】
また、本発明の請求項２記載のサイクロン式電気掃除機は、請求項１において、前記渦流発生手段を前記集塵部に対し着脱自在に設けたものであり、集塵部を掃除機本体から取り外し、渦流発生手段を集塵部から取り外すことで、サイクロン部及び導入部が容易に保守整備可能となるので、簡単に集塵部を保守整備して集塵性能を保つことができる。
【００７０】
また、本発明の請求項３記載のサイクロン式電気掃除機は、請求項１において、前記渦流発生手段を前記集塵部と一体に形成したものであり、気流漏れの可能性をより低減することができる。
【００７１】
また、本発明の請求項４記載のサイクロン式電気掃除機は、請求項１〜３のいずれか１項において、前記集塵部の前記掃除機本体に取り付けられる一端に開口部を形成し、この一端側に前記渦流発生手段を設けると共に、前記取付部を筒形状に形成し、この取付部の一端側に取付部とサイクロン部とを連通する導入口を設け、この導入口を前記導入部の軸交差方向に開放するように形成したものであり、導入部から取付部を通りサイクロン部に至る経路において、気流漏れの可能性がより低減されるので、集塵性能をより高めることができる。
【００７２】
また、本発明の請求項５記載のサイクロン式電気掃除機は、請求項４において、前記導入口を前記サイクロン部の側壁の接線方向に開放するように構成したものであり、サイクロン部内で渦流を効率良く発生させることができる。
【００７３】
また、本発明の請求項６記載のサイクロン式電気掃除機は、請求項４又は５において、前記取付部の一端側を閉塞し、前記導入部からの気流を前記導入口へ導入する導入壁を設け、この導入壁を滑らかな曲面状に形成したものであり、導入壁によって、導入部から取付部に入った気流をスムーズに導入口へ導くことができる。
【００７４】
更に、本発明の請求項７記載のサイクロン式電気掃除機は、請求項１〜６のいずれか１項において、前記導入部を保持する保持部を前記サイクロン部に設けたものであり、保持部によって、導入部をサイクロン部にしっかりと保持することができる。
【図面の簡単な説明】
【図１】本発明の第一の実施形態を示すサイクロン式電気掃除機の正面図である。
【図２】同上、側面図である。
【図３】同上、拡大断面図である。
【図４】同上、集塵部の側面図である、
【図５】同上、集塵部の断面図である。
【図６】同上、集塵部の平面図である。
【図７】同上、渦流発生部材の側面図である。
【図８】同上、渦流発生部材の断面図である。
【図９】本発明の第二実施形態を示すサイクロン式電気掃除機の集塵部の断面図である。
【図１０】同上、集塵部の平面図である。
【図１１】同上、渦流発生部材の底面図である。
【図１２】本発明の第三実施形態を示すサイクロン式電気掃除機の集塵部の断面図である。
【図１３】同上、集塵部の平面図である。
【図１４】同上、円錐部の底面図である。
【符号の説明】
１　掃除機本体
４　電動送風機
１１，５１，８１　集塵部
１１Ａ，５１Ａ，８１Ａ　保持環（保持部）
１２，５２，８２　第一開口部（開口部）
１３，５３，８３　第二開口部（開口部）
１４，５４，８４　サイクロン部
１４Ｂ，５４Ｂ，８４Ｂ　取付部
１５，５５，８５　導入部
１６，５６　導入壁
１７，５７，８７　導入口
２０　ノズル（吸込口体）
２１，６１　渦流発生部材（渦流発生手段）
８６　導入壁（渦流発生手段）
【図１】
2004008576.tif 000003
【図２】
2004008576.tif 000004
【図３】
2004008576.tif 000005
【図４】
2004008576.tif 000006
【図５】
2004008576.tif 000007
【図６】
2004008576.tif 000008
【図７】
2004008576.tif 000009
【図８】
2004008576.tif 000010
【図９】
2004008576.tif 000011
【図１０】
2004008576.tif 000012
【図１１】
2004008576.tif 000013
【図１２】
2004008576.tif 000014
【図１３】
2004008576.tif 000015
【図１４】
2004008576.tif 000016
【手続補正書】
【提出日】平成15年7月30日(2003.7.30)
【手続補正１】
【補正対象書類名】明細書
【補正対象項目名】００４０
【補正方法】変更
【補正の内容】
【００４０】
次に、本実施形態の作用について説明する。まず使用者は、導入部５５を下方から保持環５１Ａに通し、集塵部５１の取付部５４Ｂに形成された雌ネジ部５４Ｃに導入部５５の雄ネジ部５５Ａを螺合させることで、導入部５５を取付部５４Ｂに取り付ける。このとき、導入部５５のテーパ部５５Ｂがサイクロン部５４の後部の下方側面に形成された保持環５１Ａに当接するので、前記導入部５５は、その上部及び下部において保持されることになり、これによってサイクロン部５４に対する導入部５５の取付強度が高められることになる。そして、集塵部５１の第一開口部５２及び第二開口部５３に渦流発生部材６１及びフィルタ部材７１を取り付ける。このとき、フィルタ部材７１のシール部７３が第一開口部５２及び第二開口部５３の内壁に密接する。そして、集塵部５１の第二受部５９を固定フック１０と係合させた後、第一受部５８を可動フック８と係合させることで、集塵部５１が掃除機本体１に対して取り付けられる。このとき、前記ガイド部５が第一開口部５２に挿入されると共に、凸部９が第二開口部５３に挿入されることで、集塵部５１が掃除機本体１に対して位置決めされる。そして、前記フィルタ部材７１のリップ部７４が、前記吸気孔６を囲むようにガイド部５の下端５Ａと密接する。これによって、サイクロン部５４内から吸気孔６に至る経路がシールされる。更に、前記導入部５５の下端にノズル２０を取り付ける。


【手続補正２】
【補正対象書類名】明細書
【補正対象項目名】００４３
【補正方法】変更
【補正の内容】
【００４３】
清掃終了後、ノズル２０を導入部５５の下端から取り外した後、可動フック８を操作して集塵部５１を掃除機本体１から取り外す。そして、フィルタ部材７１及び渦流発生部材６１を第一開口部５２及び第二開口部５３から取り外し、フィルタ６５，７０に付着した塵埃を除去する。また、サイクロン部５４に溜まった塵埃をゴミ箱に捨てる。このとき、集塵部５１は、取付部５４Ｂが一体に形成されたサイクロン部５４と、前記取付部５４Ｂに対して着脱自在に取り付けられる導入部５５とで構成されているため、軽い集塵部５１を持ってサイクロン部５４内の塵埃を簡単に捨てることができるばかりでなく、導入部５５を取付部５４Ｂから取り外すことで、導入部５５内及び全長の短い取付部５４Ｂに溜まってしまった塵埃も簡単に除去できる。従って、清掃途中でシート状物等を吸い込んでしまい、導入部５５や取付部５４Ｂ、導入口５７に詰まってしまった場合でも、簡単に除去することができる。特に、導入壁５６が渦流発生部材６１として集塵部５１に対して着脱自在に構成されており、渦流発生部材６１を取外した際に取付部５４Ｂが上下軸方向に貫通するので、取付部５４Ｂに物が詰まったときに除去しやすく、保守性に優れる。更に、前記集塵部５１は、取付部５４Ｂが一体に形成された樹脂製のサイクロン部５４と、同じく樹脂製の導入部５５との２部品で構成されているため、これらサイクロン部５４及び導入部５５の水洗いが可能であり、従って、これらを水洗いすれば集塵部５１をより一層清浄な状態にすることができる。更に、サイクロン部５４の下端に設けた脚部５１Ｂと導入部５５の下端によって、集塵部５１は第一開口部５２，第二開口部５３を上に向けて自立可能に構成されているので、塵埃を捨てる際などに塵埃を散らかすことなく一時的に置いておくことが可能であり、便利である。